(57)【要約】      （修正有）【課題】  デジタル保存メディアのトリック再生方法及びそれに適したデジタル保存メディア駆動器を提供すること。【解決手段】  デジタル保存メディアで読取られたデータでトリック再生モードによって再生されるビデオフレームデータとビデオフレームデータに相応するサブピクチャーデータをそれぞれ検出する段階と、検出されたビデオフレームデータとサブピクチャーデータとをそれぞれデコーディングする段階と、デコーディングされたビデオフレームデータと前記デコーディングされたサブピクチャーデータとを混合し、混合したデータを出力する段階と、を含むデジタル保存メディア駆動器。デジタル保存メディア駆動器のトリック再生時、ビデオデータと対応するサブピクチャーを混合して再生する。【選択図】  図４
2005176369.tif 000002
【特許請求の範囲】
【請求項１】
デジタル保存メディアで読取られたデータでトリック再生モードによって再生されるビデオフレームデータと前記ビデオフレームデータに相応するサブピクチャーデータとをそれぞれ検出する段階と、
前記検出されたビデオフレームデータとサブピクチャーデータとをそれぞれデコーディングする段階と、
前記デコーディングされたビデオフレームデータと前記デコーディングされたサブピクチャーデータとを混合し、混合したデータを出力する段階と、を含むトリック再生方法。
【請求項２】
前記トリック再生モードが高速再生モードであれば、
前記検出段階は設定された高速再生モードの再生速度によって前記再生されるビデオフレームデータの検出間隔を計算する段階と、
現在再生されるビデオフレームデータの再生位置と前記現在再生されるビデオフレームデータ以後に再生されるビデオフレームデータの再生位置とに位置した少なくとも１つのサブピクチャーデータを検出する段階と、を含み、
前記少なくとも１つのサブピクチャーデータの再生位置は前記検出間隔により決定される、請求項１に記載のトリック再生方法。
【請求項３】
前記サブピクチャーデータの検出において、
前記現在再生されるビデオフレームデータの再生位置と前記現在ビデオフレームデータ以後に再生されるビデオフレームデータ再生位置とに位置したあらゆるサブピクチャーに相応するデータを前記ビデオフレームデータに相応する少なくとも１つのサブピクチャーデータとして検出することを特徴とする、請求項２に記載のトリック再生方法。
【請求項４】
前記サブピクチャーデータのデコーディングにおいて、
あらゆるサブピクチャーのデータが１フレーム画面に共にディスプレイされるように少なくとも１つのサブピクチャーデータの再生位置をシフトしてデコーディングすることを特徴とする、請求項３に記載のトリック再生方法。
【請求項５】
前記再生するビデオフレームデータはイントラフレームであることを特徴とする、請求項２に記載のトリック再生方法。
【請求項６】
前記トリック再生モードが低速再生モードであれば、
前記ビデオフレームデータとサブピクチャーデータ検出段階は、
設定された低速再生モードの再生速度によって前記再生されるビデオフレームデータの反復再生期間を計算する段階と、
前記反復再生期間の間に同じビデオフレームデータと同じサブピクチャーデータとを反復的に検出する段階と、を含む、請求項１に記載のトリック再生方法。
【請求項７】
前記ビデオフレームデータ及び前記サブピクチャーデータ検出段階は、
第１ビデオフレームデータ及び第２ビデオフレームデータを検出する段階と、
前記第１ビデオフレームデータ及び第２ビデオフレームデータにそれぞれ相応する第１サブピクチャーデータ及び第２サブピクチャーデータを検出する段階と、
前記トリック再生モードが高速再生モードであれば、前記第１ビデオフレームデータをビデオフレームデータとして検出し、前記第１サブピクチャーデータ及び第２サブピクチャーデータをサブピクチャーデータとして検出する段階と、を含む、請求項１に記載のトリック再生方法。
【請求項８】
前記デコードされたビデオフレームデータは前記第２ビデオフレームデータに含まれないことを特徴とする、請求項７に記載のトリック再生方法。
【請求項９】
前記ビデオフレームデータ及びサブピクチャーデータデコーディング段階は、
第３ビデオフレームデータ及び前記第３ビデオフレームデータに相応する第３サブピクチャーデータを検出する段階と、
前記第１ビデオフレームデータを前記ビデオフレームデータとして検出し、前記第１、２、３サブピクチャーデータを前記サブピクチャーデータとして検出する段階と、を含む、請求項７に記載のトリック再生方法。
【請求項１０】
前記デコードされたビデオフレームデータは前記第２及び第３ビデオフレームデータに含まれないことを特徴とする、請求項９に記載のトリック再生方法。
【請求項１１】
前記データは第１ビデオフレームデータ及び第２ビデオフレームデータ、前記第１ビデオフレームデータ及び第２ビデオフレームデータと共にそれぞれ第１画面及び第２画面の再生位置にディスプレイされる第１サブピクチャーデータ及び第２サブピクチャーデータを含み、
前記ビデオフレームデータ及びサブピクチャーデータは１画面にディスプレイされる第１フレームデータ及び第１及び第２サブピクチャーデータを含む、請求項１に記載のトリック再生方法。
【請求項１２】
前記デコードされたビデオフレームデータ及びサブピクチャーデータ混合段階は、１フレーム画面の第２再生位置を生成する段階を含み、
前記第１サブピクチャーデータ及び第２サブピクチャーデータは前記再生位置及び前記第２再生位置にそれぞれ位置することを特徴とする、請求項１に記載のトリック再生方法。
【請求項１３】
デジタル保存メディア駆動器において、
デジタル保存メディアから読取られたデータからビデオフレームデータと前記ビデオフレームデータとに相応するサブピクチャーデータを保存するバッファと、
前記ビデオフレームデータ及び前記サブピクチャーデータをデコードするデコーダと、
前記デコーダから出力される前記デコードされたビデオフレームデータとサブピクチャーデータとを混合し、前記混合したデータを出力する混合器と、
前記トリック再生モードで再生されるビデオフレームデータと前記再生されるビデオフレームデータに相応するサブピクチャーデータとが共に出力されるように前記バッファの出力モードを制御する制御部と、を含むデジタル保存メディア駆動器。
【請求項１４】
前記トリック再生モードが高速再生モードであれば、
前記制御部は設定された高速再生モードの再生速度によって前記再生されるビデオフレームデータの検出間隔を計算し、前記計算された検出間隔によって前記バッファから出力されるビデオフレームデータとサブピクチャーデータとを指定することを特徴とする請求項１３に記載のデジタル保存メディア駆動器。
【請求項１５】
前記ビデオデータは現在ビデオフレームデータ及び次のビデオフレームデータを含み、
前記制御部は前記計算された検出間隔によって出力される前記現在ビデオフレームデータと次のビデオフレームデータ間に位置したあらゆるサブピクチャーに前記相応するデータを前記現在ビデオフレームデータに相応するサブピクチャーデータとして出力されるように前記バッファの出力モードを制御することを特徴とする、請求項１４に記載のデジタル保存メディア駆動器。
【請求項１６】
前記トリック再生モードが低速再生モードであれば、前記制御部は設定された低速再生モードの再生速度によって前記再生されるビデオフレームデータの反復再生期間を計算し、前記反復再生期間の間に前記バッファから同じビデオフレームデータと同じサブピクチャーデータとが出力されるように前記バッファの出力モードを制御することを特徴とする、請求項１３に記載のデジタル保存メディア駆動器。
【請求項１７】
前記バッファに保存されたビデオフレームデータ及び前記サブピクチャーデータは、第１及び第２ビデオフレームデータ、前記第１及び第２ビデオフレームデータに相応する第１及び第２サブピクチャーデータをそれぞれ含み、
前記デコーダは前記第１ビデオフレームデータ及び前記第１及び第２サブピクチャーデータを前記デコードされたビデオデータ及びサブピクチャーデータとしてそれぞれデコーディングすることを特徴とする、請求項１３に記載のデジタル保存メディア駆動器。
【請求項１８】
前記バッファは第１画面及び第２画面上にディスプレイされる第１ビデオフレームデータ及び第２ビデオフレームデータ、前記第１ビデオフレームデータ及び第２ビデオフレームデータと共に前記第１画面及び第２画面の再生位置にディスプレイされる第１サブピクチャーデータ及び第２サブピクチャーデータをそれぞれ保存し、
前記混合器は１フレーム画面上にディスプレイされる前記第１ビデオフレームデータ及び第１サブピクチャーデータ及び第２サブピクチャーデータを混合することを特徴とする、請求項１３に記載のデジタル保存メディア駆動器。
【請求項１９】
前記第１サブピクチャーデータは、前記１フレーム画面の前記再生位置にディスプレイされ、前記第２サブピクチャーデータは前記１フレーム画面上の第２再生位置にディスプレイされることを特徴とする請求項１８に記載のデジタル保存メディア駆動器。
【請求項２０】
トリック再生機能を有するデジタル保存メディア駆動器において、
前記デジタル保存メディアから読取られたビデオフレームデータとサブピクチャーデータとを生成するデジタル信号処理部と、
前記デジタル信号処理部から出力されるビデオフレームデータとサブピクチャーデータとを保存するバッファと、
前記バッファから出力されるビデオフレームデータをデコーディングするビデオデコーダと、
前記バッファから出力されるサブピクチャーデータをデコーディングするサブピクチャーデコーダと、
前記ビデオデコーダから出力されるデコーディングされたビデオフレームデータと前記サブピクチャーデコーダから出力されるデコーディングされたサブピクチャーデータとを混合し、混合したデータを出力する混合器と、
前記トリック再生モード時、再生されるビデオフレームデータと前記再生されるビデオフレームデータに相応するサブピクチャーデータが共に出力されるように前記バッファの出力モードを制御する制御部と、を含むデジタル保存メディア駆動器。
【請求項２１】
前記トリック再生モードが高速再生モードであれば、前記制御部は設定された高速再生モードの再生速度によって前記デジタル保存メディアから読取られたビデオフレームデータで前記再生されるビデオフレームデータの検出間隔を計算し、前記計算された検出間隔によって前記バッファから出力されるビデオフレームデータとサブピクチャーデータとを指定することを特徴とする、請求項２０に記載のデジタル保存メディア駆動器。
【請求項２２】
もし前記バッファから出力されるサブピクチャーのデータが複数のサブピクチャーデータを含めば、
前記制御部は、前記複数のサブピクチャーデータが１フレーム画面に共にディスプレイされるように前記サブピクチャーデコーダを制御し、
前記サブピクチャーデコーダは前記制御部の制御によって前記複数のサブピクチャーのデータの少なくとも１データの再生位置をシフトさせ、シフトされたサブピクチャーデータをデコーディングすることを特徴とする、請求項２１に記載のデジタル保存メディア駆動器。
【請求項２３】
前記トリック再生モードが低速再生モードであれば、
前記制御部は設定された低速再生モードの再生速度によって前記再生されるビデオフレームデータの反復再生期間を計算し、前記反復再生期間の間に前記バッファから同じビデオフレームデータと同じサブピクチャーデータとが出力されるように前記バッファの出力モードを制御することを特徴とする、請求項２１に記載のデジタル保存メディア駆動器。
【請求項２４】
トリック再生方法において、
第１ビデオフレームデータ及び第２ビデオフレームデータ、前記第１ビデオフレームデータ及び第２ビデオフレームデータと共に画面の再生位置にディスプレイされる第１サブピクチャーデータ及び第２サブピクチャーデータを保存する段階と、
トリック再生モードで前記第１ビデオデータ及び前記第１サブピクチャーデータと第２サブピクチャーデータとを混合する段階と、を含むトリック再生方法。
【請求項２５】
前記第１ビデオフレームデータ及び第１サブピクチャーデータと第２サブピクチャーデータを混合する段階は、
前記画面の再生位置に前記第１サブピクチャーデータを位置させ、前記画面の第２再生位置に前記第２サブピクチャーデータを位置させる段階を含む、請求項２４に記載のトリック再生方法。
【請求項２６】
デジタル保存メディア駆動器において、
第１ビデオフレームデータ、第２ビデオフレームデータ、前記第１ビデオフレームデータ及び第２ビデオフレームデータと共に画面の再生位置にディスプレイされる第１サブピクチャーデータ及び第２サブピクチャーデータを保存するバッファと、
トリック再生モードで前記第１ビデオフレームデータ及び前記第１サブピクチャーデータと前記第２サブピクチャーデータとを混合する混合器と、を含むデジタル保存メディア駆動器。
【請求項２７】
前記デジタル保存メディア駆動器は、
画面の第１再生位置に位置する前記第１サブピクチャーデータをデコードし、前記画面の第２再生位置に位置する前記第２サブピクチャーデータをデコードするデコーダをさらに含む、請求項２６に記載のデジタル保存メディア駆動器。
【請求項２８】
トリック再生方法を含む保存媒体を読取れるコンピュータにおいて、
前記方法は、
トリック再生モードでデジタル保存メディアから読取られたデータから再生されるビデオフレームデータと前記ビデオフレームデータに相応するサブピクチャーデータとを検出する段階と、
前記検出されたビデオフレームデータとサブピクチャーデータとをデコーディングする段階と、
前記デコードされたサブピクチャーデータと前記デコードされたビデオフレームデータとを混合し、前記混合したデータを出力する段階と、を含むコンピュータ。
【請求項２９】
トリック再生方法を含む保存媒体を読取れるコンピュータにおいて、
前記方法は、
第１ビデオフレームデータ、第２ビデオフレームデータ、前記第１ビデオフレームデータ及び第２ビデオフレームデータと共に画面の再生位置にディスプレイされる第１サブピクチャーデータ及び第２サブピクチャーデータをそれぞれ保存する段階と、
再生モードで前記第１ビデオデータ及び第１サブピクチャーデータ及び第２サブピクチャーデータを混合する段階と、を含むコンピュータ。
【発明の詳細な説明】
【技術分野】
【０００１】
本発明はデジタル保存メディア駆動器でのトリック再生方法に係り、特に、デジタル保存媒体からサブピクチャーを再生できるトリック再生方法及びデジタル保存メディア駆動器に関する。
【背景技術】
【０００２】
デジタル保存メディアは、ＤＶＤ（Ｄｉｇｉｔａｌ Ｖｅｒｓａｔｉｌｅ Ｄｉｓｃ）、ＤＶＣＲ（Ｄｉｇｉｔａｌ Ｖｉｄｅｏ Ｃａｓｓｅｔｔｅ Ｒｅｃｏｒｄｅｒ）、ハードディスク（Ｈａｒｄ Ｄｉｓｃ）を含む。デジタル保存メディアには、例えばビデオデータ及びオーディオデータが記録される。オンスクリーンディスプレイ（Ｏｎ Ｓｃｒｅｅｎ Ｄｉｓｐｌａｙ：ＯＳＤ）情報を含むサブピクチャーデータはデジタル保存メディアに選択的に記録しうる。
【０００３】
デジタル保存メディア駆動器は、前記デジタル保存メディアに記録されているビデオデータに対する正常再生機能（またはモード）とトリック再生機能（またはモード）とを有している。トリック再生機能はデジタル保存メディアに記録されたビデオデータに対する順方向の高速再生モード、順方向の低速再生モード、逆方向の高速再生モード、逆方向の低速再生モードを含む。
【０００４】
順方向の高速再生モードは、デジタル保存メディアに記録されたビデオデータのうちイントラピクチャーか予測ピクチャーのみをデコーディングするか、ＧＯＰ（Ｇｒｏｕｐ ｏｆ Ｐｉｃｔｕｒｅｓ）の前半部の一部分のみをデコーディングする方法で具現される。順方向の低速再生モードはデジタル保存メディアに記録されたビデオデータのうち１つのピクチャーを適切な周波数によって所定回数反復的にデコーディングする方法で具現される。逆方向の高速再生モードは順方向の高速再生機能と類似して動作し、逆方向の低速再生モードは順方向の低速再生機能と類似して動作する。
【０００５】
しかし、既存のデジタル保存メディア駆動器はトリック再生機能の実行時、サブピクチャーデータを再生しない。したがって、トリック再生機能の実行時、所望のサブピクチャーを探すために既存のデジタル保存メディア駆動器はトリック再生機能を中断し、前記トリック再生機能を正常再生機能に転換せねばならない。
【０００６】
また、トリック再生機能が行われる時、ビデオフレームデータのみを再生することによって再生されるビデオフレームデータの内容が類似した場合にユーザーは所望の再生位置を正確に探せない。例えば、主人公の職業が電話交換員であるので、トリック再生機能を行う時に電話を受ける場面が主にディスプレイされる場合に、ユーザーは誤った再生位置を検出できる。
【０００７】
本願発明と関連した既存の技術としては、特許文献１がある。
【特許文献１】特開平２００１−４５４４０号公報
【発明の開示】
【発明が解決しようとする課題】
【０００８】
本発明が解決しようとする技術的課題は、デジタル保存メディアに記録されているサブピクチャーを再生してサブピクチャーの所望の再生位置をさらに正確に探せるトリック再生モードを行う方法及びそれに適したデジタル保存メディア駆動器を提供することである。
【０００９】
本発明が解決しようとする他の技術的課題は、デジタル保存メディアに記録されているビデオフレームデータと相応するサブピクチャーデータを共に再生できるトリック再生モードの実行方法及びそれに適したデジタル保存メディア駆動器を提供することである。
【００１０】
本発明が解決しようとするさらに他の技術的課題は、デジタル保存メディアに記録されているビデオフレームデータとＯＳＤ情報を共に再生することを含むトリック再生モードの実行方法及びそれに適したデジタル保存メディア駆動器を提供することである。
【課題を解決するための手段】
【００１１】
前記技術的課題を解決するために本発明は、デジタル保存メディアで読取られたデータでトリック再生モードによって再生されるビデオフレームデータとビデオフレームデータに相応するサブピクチャーデータとをそれぞれ検出する段階と、検出されたビデオフレームデータとサブピクチャーデータとをそれぞれデコーディングする段階と、デコーディングされたビデオフレームデータと前記デコーディングされたサブピクチャーデータとを混合し、混合したデータを出力する段階と、を含むトリック再生方法を提供する。
【００１２】
前記技術的課題を解決するために本発明はまたビデオフレームデータとサブピクチャーデータとが記録されたデジタル保存メディアと、デジタル保存メディアから読取られたビデオフレームデータとサブピクチャーデータとを保存するバッファと、バッファからそれぞれ出力されるビデオフレームデータとサブピクチャーデータとを混合し、混合したデータを出力する混合器と、トリック再生モードを行う時、再生されるビデオフレームデータと再生されるビデオフレームデータに相応するサブピクチャーデータとが共に出力されるようにバッファの出力モードを制御する制御部と、を含むトリック再生モードを有するデジタル保存メディア駆動器を提供する。
【００１３】
前記技術的課題を解決するために本発明は、ビデオフレームデータとサブピクチャーデータとが記録されたデジタル保存メディアと、デジタル保存メディアから読取られたビデオフレームデータとサブピクチャーデータとをデジタル信号に変換するデジタル信号処理部と、デジタル信号処理部から出力されるビデオフレームデータとサブピクチャーデータに相応するデジタル信号を保存するバッファと、バッファから出力されるビデオフレームデータに相応するデジタル信号をデコーディングするビデオデコーダと、バッファから出力されるサブピクチャーデータに相応するデジタル信号をデコーディングするサブピクチャーデコーダと、ビデオデコーダから出力される前記デコーディングされたビデオフレームデータとサブピクチャーデコーダから出力されるデコーディングされたサブピクチャーデータとを混合し、混合したデータを出力する混合器と、トリック再生モードを行う時、再生されるビデオフレームデータと再生されるビデオフレームデータに相応するサブピクチャーデータが共に出力されるようにバッファの出力モードを制御する制御部と、を含むトリック再生モードを有するデジタル保存メディア駆動器を提供する。
【発明の効果】
【００１４】
本発明はデジタル保存メディア駆動器のトリック再生時、ビデオデータと対応するサブピクチャーを混合して再生することによって、トリック再生時に所望のサブピクチャーを探すためにデジタル保存メディア駆動器の再生モードを変更する必要なく、ユーザーはサブピクチャーをさらに参照して所望の再生位置をさらに正確に探しうる。
【発明を実施するための最良の形態】
【００１５】
図１を参照すれば、本発明の実施例によるデジタル保存メディア駆動器は、デジタル保存メディア１０１、ピックアップ部１０２、ＲＦ（Ｒａｄｉｏ Ｆｒｅｑｕｅｎｃｙ）部１０３、サーボ部１０４、モーター駆動部１０５、第１モーター１０６、第２モーター１０７、デジタル信号処理部１０８、バッファ１０９、ビデオデコーダ１１０、サブピクチャーデコーダ１１１、オーディオデコーダ１１２、混合器１１３、及び制御部１１４で構成される。
【００１６】
デジタル保存メディア１０１は、ＤＶＤ、ＤＶＣＲ、ハードディスクなどのメディアである。デジタル保存メディア１０１はビデオフレームデータ、オーディオデータ及びサブピクチャーデータが記録される。サブピクチャーデータは選択的に記録しうる。サブピクチャーデータはＯＳＤ情報を含みうる。
【００１７】
ピックアップ部１０２は、デジタル保存メディア１０１に記録されているデータを読取る。すなわち、ピックアップ部１０２はデジタル保存メディア１０１に記録されているビデオフレームデータ、オーディオデータ、サブピクチャーデータ及び付加情報などをそれぞれ読取り、読取られたデータを出力する。
【００１８】
ＲＦ部１０３は、ピックアップ部１０２から出力されるデータ及び情報をＲＦ信号で復調し、前記ＲＦ信号を出力する。
【００１９】
サーボ部１０４は、ＲＦ部１０３から出力されるフォーカスエラー（ＦＥ：Ｆｏｃｕｓ Ｅｒｒｏｒ）信号とトラッキングエラー（ＴＥ：Ｔｒａｃｋｉｎｇ Ｅｒｒｏｒ）信号とによって第１モーター１０６と第２モーター１０７の動作を制御する信号を発生させる。モーター駆動部１０５はサーボ部１０４から発生する制御信号によって第１モーター１０６と第２モーター１０７とを駆動させる。
【００２０】
第１モーター１０６はモーター駆動部１０５により制御されてデジタル保存メディア１０１に対して水平的にピックアップ部１０２の位置を移動させる。第２モーター１０７はモーター駆動部１０５により制御されてデジタル保存メディア１０１を回転させる。
【００２１】
デジタル信号処理部１０８は、ＲＦ部１０３から出力されるＲＦ信号をデジタル信号に変換する。すなわち、デジタル信号処理部１０９はビデオフレームデータ、オーディオデータ及びサブピクチャーデータをそれぞれデジタル信号に変換し、前記ビデオフレームデータ、オーディオデータ及びサブピクチャーデータに相応するデジタル信号を出力する。
【００２２】
バッファ１０９はデジタル信号処理部１０８から出力されるビデオフレームデータ、サブピクチャーデータ及びオーディオデータをそれぞれ臨時的に保存し、制御部１１４により制御されて保存されたビデオフレームデータ、サブピクチャーデータ及びオーディオデータをそれぞれ出力する。
【００２３】
ビデオデコーダ１１０はバッファ１０９から出力されるビデオフレームデータをデコーディングし、デコーディングされたデータを出力する。
【００２４】
サブピクチャーデコーダ１１１はバッファ１０９から出力されるサブピクチャーデータをデコーディングし、デコーディングされたデータを出力する。トリック再生モードが高速再生モードであり、１つのビデオフレームに相応する複数のサブピクチャーがあれば、サブピクチャーデコーダ１１１は制御部１１４により制御されて前記複数のサブピクチャーデータの再生位置をそれぞれシフトさせ、複数のサブピクチャーのシフトされたデータをデコーディングする。例えば、前記トリック再生モードがｎ倍速の順方向再生モードであるか、ｎ倍速の逆方向再生モードである時、サブピクチャーデコーダ１１１はサブピクチャーデータの絶対時間位置を特定位置ほどシフトさせ、シフトされたデータをデコーディングする。前記特定位置はサブピクチャーデータに相応するビデオフレームデータの絶対時間位置に基づいて決定される。
【００２５】
オーディオデコーダ１１２はバッファ１０９から出力されるオーディオデータをデコーディングし、デコーディングされたデータを出力する。
【００２６】
混合器１１３はビデオデコーダ１１０から出力されるデコーディングされたビデオフレームデータとサブピクチャーデコーダ１１１から出力されるデコーディングされたサブピクチャーデータとが１フレーム画面にディスプレイされるように混合し、混合したデータを出力する。
【００２７】
制御部１１４はユーザーにより入力されるユーザーキーによってサーボ部１０４、デジタル信号処理部１０９、バッファ１１０及びサブピクチャーデコーダ１１２の動作を制御する。
【００２８】
トリック再生モードが設定されれば、設定されたトリック再生モードの倍速によってデジタル保存メディア１０１を回転させながらデジタル保存メディア１０１に記録されたデータを読取られるように制御部１１４はサーボ部１０４に制御信号を提供する。前記制御信号によってサーボ部１０４は設定された倍速に適合して第１モーター１０６及び第２モーター１０７が動作するようにモーター駆動部１０５でサーボ制御信号を発生させ、前記サーボ制御信号を出力する。
【００２９】
また、トリック再生モードが設定されれば、デジタル保存メディア１０１から読取られたビデオフレームデータから再生されるビデオフレームデータと相応するサブピクチャーデータが共に出力されるように制御部１１４はバッファ１１０の出力モードを制御する。
【００３０】
もし、トリック再生モードが高速再生モードであれば、制御部１１４は入力されたユーザーキーにより設定された倍速によってデジタル保存メディア１０１で読取られたビデオフレームデータで再生されるビデオフレームデータの検出間隔を計算する。計算された検出間隔に基づいて制御部１１４はバッファ１０９から出力されたビデオフレームデータとサブピクチャーデータとを指定する。これによってバッファ１０９は指定されたビデオフレームデータとサブピクチャーデータとをそれぞれ出力する。
【００３１】
もし再生されるビデオフレームに相応するサブピクチャーが複数であれば、複数のサブピクチャーが１フレーム画面にディスプレイされるように制御部１１４は前記サブピクチャーデコーダ１１１を制御する。
【００３２】
すなわち、図２に示されたように再生されるビデオフレームデータの検出間隔がイントラフレーム間の間隔に基づいて設定されれば、現在再生されたイントラフレーム２００と次に再生されるイントラフレーム２０２間に存在するサブピクチャーが図２に示されたように第１ないし第３サブピクチャー２０３、２０４、２０５であれば、現在再生されるイントラフレーム２００に相応するサブピクチャーは第１ないし第３サブピクチャー２０３、２０４、２０５となる。
【００３３】
これによって、制御部１１４はＩフレーム２００のビデオフレームデータがバッファ１０９から出力される時、第１ないし第３サブピクチャー２０３、２０４、２０５のサブピクチャーデータがバッファ１０９から出力されるようにバッファ１０９の出力モードを制御する。
【００３４】
サブピクチャーデコーダ１１１は第１ないし第３サブピクチャー２０３、２０４、２０５のデータが１フレーム画面にディスプレイされるように各サブピクチャーの絶対時間位置データを特定位置にシフトさせ、各サブピクチャーのシフトされたデータをデコーディングして図２のサブピクチャー２０６を生成する。図２でＩフレーム２０１は高速再生モードによりスキップされるイントラフレームである。
【００３５】
前記トリック再生機能の実行によって図３Ｃに示されたような１フレーム画面がディスプレイされる。図３Ａ、３Ｂ、３Ｃは、正常再生モードで第１画面及び第２画面とトリック再生モードが高速再生モードである時、図３Ａの第１画面のイントラフレームデータと図３Ａ及び図３Ｂの第１画面及び第２画面でそれぞれ検出されたサブピクチャーデータを１フレーム画面に混合した例示図である。図３Ａの第１画面は、第１フレームデータをディスプレイし、第１サブピクチャーデータ、例えば"ＡＢＣＤＥＦＧＨ"が正常再生モードで第１画面の再生位置にディスプレイされる。図３Ｂの第２画面は、第２フレームデータをディスプレイし、第２サブピクチャーデータ、例えば"ＩＪＫＬＭＮ"が正常再生モードで第２画面の再生位置にディスプレイされる。第１及び第２サブピクチャーデータの再生位置は相互同一でありえる。図３Ｃは、１つの再生されるビデオフレームに相応する２個のサブピクチャーがある。すなわち、図３Ｂのイントラフレームは高速再生によってスキップされるイントラフレームである。
【００３６】
図３Ａの第１サブピクチャーの再生位置は図３Ｃに示されたように第２再生位置にシフトされ、図３Ｂの第２サブピクチャーは元の再生位置にディスプレイされる。したがって、図３Ａ及び図３Ｂの第１及び第２サブピクチャー、例えば"ＡＢＣＤＥＦＧＨ"及び"ＩＪＫＬＭＮ"は図３Ｃに示されたように第１ビデオフレームデータと共にそれぞれ１フレーム画面上に元の再生位置及びシフトされた再生位置にディスプレイされる。
【００３７】
トリック再生モードが低速再生モードであれば、制御部１１４は入力されるユーザーキーにより設定された倍速によって再生されるビデオフレームデータの反復再生期間を計算する。制御部１１４は計算された反復再生期間の間バッファ１０９から同じビデオフレームデータと同じサブピクチャーデータが出力されるようにバッファ１０９の出力モードを制御する。
【００３８】
バッファ１０９からビデオフレームデータとサブピクチャーデータとが出力される度にビデオデコーダ１１０とサブピクチャーデコーダ１１１は入力されるデータをデコーディングし、デコーディングされたデータを出力する。
【００３９】
図４は、本発明の他の実施例によるデジタル保存メディアのトリック再生方法の動作フローチャートである。
【００４０】
ユーザーキーが入力されれば、第４０１段階で制御部１１４は正常再生が要求されたか否かを判断する。第４０１段階で正常再生が要求されていないと判断されれば、第４０２段階でｎ倍速再生が要求されたか否かを判断する。前記ｎ倍速再生はトリック再生モードで高速再生モードである。前記高速再生モードは順方向の高速再生モードであるか逆方向の高速再生モードとしうる。
【００４１】
第４０２段階でｎ倍速再生と判断されれば、第４０３段階でｎ倍速によって再生されるイントラフレーム検出間隔が計算される。第４０３段階で制御部１１４は計算された検出間隔に基づいて再生されるイントラフレームデータ及び検出間隔内のサブピクチャーデータをそれぞれ検出する。
【００４２】
第４０５段階でそれぞれ検出されたイントラフレームデータとサブピクチャーデータとがそれぞれデコーディングされる。この時、検出されたサブピクチャーが複数であれば、複数のサブピクチャーのデータの再生位置を特定位置にシフトさせ、前記シフトされた複数のサブピクチャーに相応するサブピクチャーデータをデコーディングする。
【００４３】
第４０６段階でデコーディングされたサブピクチャーデータとイントラフレームデータとを混合して出力する。
【００４４】
一方、第４０２段階でユーザーキーがｎ倍速再生を要求していないと判断されれば、第４０７段階で１／ｎ倍速再生が要求されたか否かを判断する。１／ｎ倍速再生はトリック再生モードが低速再生モードである場合である。低速再生モードは順方向の低速再生モードであるか、逆方向低速再生モードとしうる。
【００４５】
第４０７段階で１／ｎ倍速再生が要求されたと判断されれば、第４０８段階で制御部１１４は決定された倍速によって反復再生期間を計算する。第４０９段階で反復再生期間の間デジタル保存メディア１０１でのビデオフレームデータの絶対時間データに基づいてデジタル保存メディア１０１から読取られたデータで再生されるビデオフレームデータと相応するサブピクチャーデータを反復的に検出する。したがって、制御部１１４は同じビデオフレームデータと相応するサブピクチャーデータが反復再生期間の間にバッファ１０９から出力されるようにバッファ１０９の出力モードを制御する。
【００４６】
第４１０段階でビデオフレームデータ及び相応するサブピクチャーデータが出力される度にビデオフレームデータ及びサブピクチャーデータをそれぞれデコーディングする。
【００４７】
第４１１段階でデコーディングされたビデオフレームデータとサブピクチャーデータとは１フレーム画面にディスプレイしうるように混合し、混合したデータが出力される。
【００４８】
第４０７段階でユーザーキーが１／ｎ倍速再生を要求したのでなければ、前記処理は第４０１段階にリターンされる。
【００４９】
第４０１段階で入力されるユーザーキーが正常再生を要求したと判断されれば、制御部１１４は第４１２段階でデジタル保存メディア１０１での絶対時間データに基づいてデジタル保存メディア１０１で読取られたビデオフレームデータと相応するサブピクチャーデータを順次に出力させる。
【００５０】
第４１３段階から出力されたビデオフレームデータ及びサブピクチャーデータをそれぞれデコーディングし、第４１４段階でデコーディングされたビデオフレームデータとサブピクチャーとを混合して出力する。
【００５１】
本発明は方法、装置及びシステムとして具現しうる。以上、説明したようなデジタル保存メディア駆動器のトリック再生方法を行うためのプログラムはコンピュータ可読な保存媒体にコンピュータ可読なコードとして具現することが可能である。コンピュータ可読保存媒体はコンピュータシステムによって読取れるデータが保存される全種の保存装置を含む。コンピュータ可読な保存媒体の例としては、ＲＯＭ、ＲＡＭ、ＣＤ−ＲＯＭ、磁気テープ、フロッピー（登録商標）ディスク、光データ保存装置などがあり、またキャリアウェーブ（例えば、インターネットを通じた伝送）の形態で具現されることも含む。
【００５２】
また、コンピュータ可読な保存媒体は、デジタル保存メディアから読取れたデータからビデオフレームデータに相応するサブピクチャーデータとトリック再生モードで再生されるビデオフレームデータを検出し、検出されたビデオフレームデータとサブピクチャーデータとをデコーディングし、デコードされたビデオフレームデータとサブピクチャーデータとを混合し、混合したデータを出力するトリック再生方法を含みうる。また、前記トリック再生方法は、それぞれの第１及び第２ビデオフレームデータと共に画面の再生位置にディスプレイされる第１及び第２サブピクチャーデータと第１及び第２ビデオフレームデータを保存し、トリック再生モードで第１ビデオデータと第１及び第２サブピクチャーデータとを混合する段階を含みうる。
【００５３】
また、コンピュータ可読な保存媒体はネットワークで連結されたコンピュータシステムに分散され、分散方式でコンピュータ可読なコードが保存、実行しうる。そして、前記トリック再生方法を具現するための機能的なプログラム、コード及びコードセグメントは本発明が属する技術分野のプログラマーにより容易に推論しうる。
【００５４】
これまで本発明に対しその望ましい実施例を中心として説明した。本発明が属する技術分野で当業者は本発明が本発明の本質的な特性から逸脱しない範囲で変形された形態で具現しうることを理解できる。したがって、開示された実施例は限定的な観点ではなく説明的な観点で考慮されねばならない。本発明の範囲は前記説明ではなく特許請求の範囲に記載しており、それと同等な範囲内にあるあらゆる差異点は本発明に含まれたものと解釈されねばならない。本発明はコンピュータソフトウェアで具現しうる。
【００５５】
本発明は前記実施例に限定されず、本発明の思想内で当業者による変形が可能であることは言うまでもない。したがって、本発明で権利を請求する範囲は詳細なる説明の範囲内に定めるものではなく、後述する特許請求の範囲に定められねばならない。
【産業上の利用可能性】
【００５６】
本発明はデジタル保存メディア駆動器でトリック再生モードを行う時、サブピクチャーも共に再生することによって、所望の再生位置をさらに正確に探せるトリック再生技術に適用される。
【図面の簡単な説明】
【００５７】
【図１】本発明の実施例によるデジタル保存メディア駆動器のブロック図である。
【図２】トリック再生モードが順方向の高速再生モードである時、イントラフレームの検出間隔と検出されるイントラフレームに相応するサブピクチャー間の関係例示図である。
【図３】Ａ、Ｂ、及びＣは、正常再生モードである時、第１画面及び第２画面と、トリック再生モードが順方向の高速再生モードである時、それぞれ検出されるイントラフレームとサブピクチャーとを混合して得た１フレーム画面を示した図である。
【図４】本発明の他の実施例によるデジタル保存メディア駆動器のトリック再生方法の動作フローチャート図である。
【符号の説明】
【００５８】
１０１  デジタル保存メディア
１０２  ピックアップ部
１０３  ＲＦ部
１０４  サーボ部
１０５  モーター駆動部
１０６  第１モーター
１０７  第２モーター
１０８  デジタル信号処理部
１０９  バッファ
１１０  ビデオデコーダ
１１１  サブピクチャーデコーダ
１１２  オーディオデコーダ
１１３  ビデオ信号
１１４  制御部
２００、２０１、２０２  Iイントラフレーム
２０３  第１サブピクチャー
２０４  第２サブピクチャー
２０５  第３サブピクチャー
２０６  サブピクチャー
【図１】
2005176369.tif 000003
【図２】
2005176369.tif 000004
【図３】
2005176369.tif 000005
【図４】
2005176369.tif 000006